【手続補正書】
【提出日】平成31年1月27日(2019.1.27)
【手続補正１】
【補正対象書類名】特許請求の範囲
【補正対象項目名】全文
【補正方法】変更
【補正の内容】
【特許請求の範囲】
【請求項１】
漁撈用トロール網であって、
ヘッド・ライン（head line、浮子綱、上綱、上辺）とフット・ライン（foot line、沈子綱、下綱、底辺）と複数のサイド・ライン（side lines、右側のサイド・ラインと左側のサイド・ライン、左右両側の袖綱、左右の側辺）とにより画定される網口(mouth opening、口状開口部）を有する網体と、
長さ方向に配列可能な複数のフォイル・セグメント（foil segments、翼型セグメント）であって、各フォイル・セグメントは、翼型断面（foil cross-section、フォイル断面）と前縁と後縁とスパンと内部導管とを有し、前記前縁および前記後縁は、翼弦線を定義し、前記内部導管は、各フォイル・セグメントの前記前縁より後方に位置する前記スパンに沿って延びるものと
を含み、
前記ヘッド・ライン、前記フット・ラインまたは前記複数のサイド・ラインのうちの少なくとも一つは、前記複数のフォイル・セグメントの複数本の内部導管内を貫通する漁撈用トロール網。
【請求項２】
さらに、長さと両端部とを有する第２のフォイル・ライン(foil line、フォイル用綱）を含み、
前記複数のフォイル・セグメントの各々は、さらに、別の内部導管を含み、その別の内部導管は、各フォイル・セグメントの前記後縁より前方に位置する前記スパンに沿って延びており、
前記第２のフォイル・ラインは、前記複数のフォイル・セグメントの各々の前記別の内部導管内を、前記複数のフォイル・セグメントが、前記第２のフォイル・ラインの長さに沿って、かつ、その第２のフォイル・ラインの前記両端部の間を延びるように、貫通する請求項１に記載の漁撈用トロール網。
【請求項３】
前記複数のフォイル・セグメントの各々は、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの前記両側の側面のうち互いに隣接するものの間に末拡がり角を有する請求項１に記載の漁撈用トロール網。
【請求項４】
さらに、前記複数のフォイル・セグメントの前記複数本の別の内部導管内を貫通する前記第２のフォイル・ラインの長さを変化させる調整機構を含む請求項２に記載の漁撈用トロール網。
【請求項５】
漁撈用トロール網であって、
ヘッド・ラインとフット・ラインと複数のサイド・ラインとにより画定される網口を有する網体と、
長さと両端部とを有するフォイル・ライン(foil line、フォイル用綱）と、
長さ方向に配列可能な複数のフォイル・セグメントであって、各フォイル・セグメントは、翼型断面と前縁と後縁とスパンと内部導管とを有し、その内部導管は、各フォイル・セグメントの前記前縁より後方に位置する前記スパンに沿って延びるものと
を含み、
前記フォイル・ラインは、前記複数のフォイル・セグメントの複数本の内部導管内を貫通し、そのフォイル・ラインの両端部は、それぞれ、前記ヘッド・ライン、前記フット・ラインまたは前記複数のサイド・ラインのうちの少なくとも一つに、互いに離散した複数の位置において装着される漁撈用トロール網。
【請求項６】
さらに、長さと両端部とを有する第２のフォイル・ラインを含み、
前記複数のフォイル・セグメントは、さらに、別の内部導管を含み、その別の内部導管は、各フォイル・セグメントの前記後縁より前方に位置する前記スパンに沿って延びており、
前記第２のフォイル・ラインは、前記複数のフォイル・セグメントの各々の前記別の内部導管内を、前記複数のフォイル・セグメントが、前記第２のフォイル・ラインの長さに沿って、かつ、その第２のフォイル・ラインの前記両端部の間を延びるように、貫通する請求項５に記載の漁撈用トロール網。
【請求項７】
前記複数のフォイル・セグメントの各々は、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの前記両側の側面のうち互いに隣接するものの間に末拡がり角を有する請求項５に記載の漁撈用トロール網。
【請求項８】
さらに、前記複数のフォイル・セグメントの前記複数本の別の内部導管内を貫通する前記第２のフォイル・ラインの長さを変化させる調整機構を含む請求項６に記載の漁撈用トロール網。
【請求項９】
さらに、複数本のブライドル・ライン（bridle lines、係留索、添え綱）を含み、
前記フォイル・ラインは、前記ヘッド・ライン、前記フット・ラインまたは前記複数のサイド・ラインのうちの少なくとも一つに、互いに離散した複数の位置において、前記複数本のブライドル・ライン（bridle lines、係留索、添え綱）を介して装着される請求項５に記載の漁撈用トロール網。
【請求項１０】
前記第２のフォイル・ラインは、各端部において、前記複数のフォイル・セグメントの前記複数本の別の内部導管から離脱しないように固定される(secured、保持される）請求項６に記載の漁撈用トロール網。
【請求項１１】
漁撈用トロール網であって、
ヘッド・ラインとフット・ラインと複数のサイド・ラインとより画定される網口と、複数のトロール・ドア(trawl doors、複数のオッターボード、右側のトロール・ドアと左側のトロール・ドア）とを含む網体であって、前記複数のトロール・ドアは、各サイド・ラインから離れているとともに、各サイド・ラインに、複数本のブライドル・レッグ(bridle legs、係留索、添え綱）を介して装着されるものと、
前記複数本のブライドル・レッグに装着されるとともに、前記複数のサイド・ラインと前記複数のトロール・ドアとの間に配置されるタグ・ラインと、
長さ方向に配列可能な複数のフォイル・セグメントであって、各フォイル・セグメントは、翼型断面（foil cross-section、フォイル断面）と前縁と後縁とスパンと内部導管とを有し、その内部導管は、各フォイル・セグメントの前記前縁より後方に位置する前記スパンに沿って延びるものと
を含み、
前記タグ・ラインは、前記複数のフォイル・セグメントの前記複数本の内部導管内を貫通する漁撈用トロール網。 
【請求項１２】
さらに、前記複数のブライドル・レッグに装着されるとともに、前記複数のサイド・ラインと前記複数のトロール・ドアとの間に配置される別のタグ・ラインを含み、
前記複数のフォイル・セグメントの各々は、さらに、別の内部導管であって、各フォイル・セグメントの前記前縁より後方に位置する前記スパンに沿って延びるものを含み、
前記別のタグ・ラインは、前記複数のフォイル・セグメントの前記複数本の別の内部導管の各々の内部を貫通する請求項１１に記載の漁撈用トロール網。
【請求項１３】
前記複数のフォイル・セグメントの各々は、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの前記両側の側面のうち互いに隣接するものの間に末拡がり角を有する請求項１１に記載の漁撈用トロール網。
【請求項１４】
さらに、前記複数のフォイル・セグメントの前記複数本の別の内部導管内を貫通する前記別のタッグ・ラインの長さを変化させる調整機構を含む請求項１２に記載の漁撈用トロール網。
【請求項１５】
さらに、
複数本のブライドル・ラインであって、自身を介して前記フォイル・ラインが前記複数のサイド・ラインのいずれかに装着されるものと、
前記フォイル・ラインに装着される三角形状のブライドル(bridle、係留具）であって、頂点と複数の側辺と底辺とを有し、前記頂点は、前記三角形状のブライドルとワープ・ラインとの間の連結点により定義され、前記複数の側辺は、前記連結点と前記フォイル・ラインの一端部との間に装着される第１ブライドル・ラインと、前記連結点と前記フォイル・ラインの他端部との間に装着される第２ブライドル・ラインとにより定義され、前記底辺は、前記フォイル・ラインにより定義されるものと、
前記連結点と前記フォイル・ラインとの間に装着される１本または複数本の中間ブライドル・ラインと
を含む請求項５に記載の漁撈用トロール網。
【請求項１６】
前記複数のフォイル・セグメントは、長さ方向に配列され、前記三角形状のブライドルの前記複数の側辺は、互いに等しい長さを有し、前記１本または複数本の中間ブライドル・ラインの長さは、前記複数の側辺の長さに応じた長さである請求項１５に記載の漁撈用トロール網。
【請求項１７】
前記複数のフォイル・セグメントは、長さ方向に配列され、前記三角形状のブライドルの前記複数の側辺は、互いに異なる長さを有し、前記１本または複数本の中間ブライドル・ラインの長さは、前記複数の側辺の長さに応じた長さである請求項１５に記載の漁撈用トロール網。
【請求項１８】
前記複数のフォイル・セグメントは、曲線部を成しており、前記三角形状のブライドルの前記複数の側辺は、互いに等しい長さを有し、前記１本または複数本の中間ブライドル・ラインの長さは、前記複数の側辺の長さに応じた長さである請求項１５に記載の漁撈用トロール網。
【請求項１９】
前記第２のフォイル・ラインは、各端部において、前記複数のフォイル・セグメントの前記複数本の別の内部導管から離脱しないように固定される(secured、保持される）請求項２に記載の漁撈用トロール網。
【請求項２０】
前記翼型断面は、非対称である請求項１，５または１１に記載の漁撈用トロール網。
【請求項２１】
前記内部導管は、前記翼弦線上に配置される請求項１，５または１１に記載の漁撈用トロール網。
【請求項２２】
前記内部導管は、前記翼弦線から片側にずれて位置する請求項１，５または１１に記載の漁撈用トロール網。
【請求項２３】
前記別のタグ・ラインは、各端部において、前記複数のフォイル・セグメントの前記複数本の別の内部導管から離脱しないように固定される(secured、保持される）請求項１２に記載の漁撈用トロール網。
【手続補正２】
【補正対象書類名】明細書
【補正対象項目名】００３１
【補正方法】変更
【補正の内容】
【００３１】
複数のフォイル・セグメント１１は、さらに、図３ａに示すように、後縁１９より前方に位置するスパン(span、翼長）に沿って延びる後側内部導管（aft internal conduit）１８を有してもよい。フォイル・ライン１４の両端部が複数のサイド・ライン８のいずれか(one of the side lines、該当する１本のサイド・ライン、該当する片側のサイド・ライン）に装着される場合、図７ａ、図７ｂおよび図８に示すように、別の(a second、第２の）フォイル・ライン１７を、各フォイル・セグメント１８の後側内部導管１８内を挿通してもよい。このような構成においては、複数のフォイル・セグメント１１が、１つの翼断面を形成する(form a wind section、１つの翼型を形成するなど）ように長さ方向に配列される(longitudinally aligned、整列される）。フォイル・ライン１４および１７は、発明の名称が「操舵可能な流線形紐状体（Steerable Fairing String）」であるＰＣＴ／ＣＡ２０１２／０００９９６に記載されているように、複数のフォイル・セグメント１１の舵取り（steering、ステアリング、方向変換）を可能とする。これに代えて、別のフォイル・ライン１７を省略し、複数のフォイル・セグメント１１をフォイル・ライン１４(the foil line 14、１本のフォイル・ライン１４）のみに沿って一列に配列してもよい。別のフォイル・ライン１７が省略されるいくつかの実施態様においては、複数の非対称フォイル(asymmetric foils、非対称翼型）が用いられ、それにより、複数のフォイル・セグメント１１は、非ゼロ平衡迎え角（non-zero equilibrium angle of attack、０ではない角度で力学的平衡状態を実現する迎え角）を取り、それにより、所望の方向を有する揚力を生成する。
【手続補正３】
【補正対象書類名】明細書
【補正対象項目名】００３３
【補正方法】変更
【補正の内容】
【００３３】
これに代えて、従来の複数のトロール・ドア７を、図６に示すように、発明の名称が「セグメンテッド・フォイル・ダイバータ（Segmented-Foil Divertor、分割型フォイル用方向変換器）」であるＰＣＴ／ＣＡ２０１５／０００５９３に記載されているように、概して三角形状を成すブライドル（bridle、係留索装置、添え索装置、係船索装置）２４を介してワープ・ライン２０に装着されるセグメンテッド・フォイルに置き換えてもよい。図９に示すように、ブライドル２４の一端部は、ワープ・ライン（warp line、引き綱、ワープ）２０に装着され、一方、そのブライドル２４の他端部は、複数のフォイル・セグメント１１より成るスタック１６に装着される。これに代えて、ブライドル２４をワープ・ライン２０に装着するのではなく、それ(it、ブライドル２４）をこのトロール網の網口２の周りに位置する任意の所望の位置に装着してもよい。
【手続補正４】
【補正対象書類名】明細書
【補正対象項目名】００３４
【補正方法】変更
【補正の内容】
【００３４】
ブライドル２４は、頂点（an apex、１つの頂点）と複数の側辺（sides、側部）と底辺（a base、１つの底辺、基部）とを有しており、それら頂点と側辺と底辺とは、当該ブライドル２４の三角形という形状を画定する。前記頂点は、ブライドル２４とワープ・ライン２０との間の連結点により定義される。前記複数の側辺は、複数本のブライドル・ライン１５により定義される。第１ブライドル・ライン１５ａが、前記連結点と、スタック１６の一端部、すなわち、スタック１６の上端部１６ａとの間に装着されており、また、第２ブライドル・ライン１５ｂが、前記連結点と、スタック１６の他端部、すなわち、スタック１６の下端部１６ｂとの間に装着される。１本または複数本の中間ブライドル・ライン（intermediate bridle lines）１５ｃも、前記連結点と、前記スタック１６のうち、それの両端部の間の部分との間に装着される。任意選択的に、図９に示すように、複数本のブライドル・ライン１５であって各々分岐しているものが、上述のブライドル・リギング（bridle rigging、前記ブライドル２４、ブライドル索具）を完成させるために使用される。好ましくは、複数本のブライドル・ライン１５は、フォイル・ライン１４のうち、スタック１６の各端部１６ａ，１６ｃから外向きに延び出す各自由端部と、フォイル・セグメント１１同士の間の部分とにそれぞれ装着されることにより、複数のフォイル・セグメント１１に装着される。任意選択的に、フォイル・ライン１４の複数の自由端部は、複数本のブライドル・ライン１５と連続してもよい。これに代えて、複数本のブライドル・ライン１５は、複数のフォイル・セグメント１１のうちの１または複数に直接装着されてもよい。
【手続補正５】
【補正対象書類名】明細書
【補正対象項目名】００３５
【補正方法】変更
【補正の内容】
【００３５】
図９に示すように、複数本のブライドル・ライン１５の長さは、前記セグメンテッド・フォイル（segmented-foil、分割型フォイル）が水の中を通過するように牽引されている状態で、複数のフォイル・セグメント１１が、垂直に延びるとともに直線的にすなわち長さ方向に配列されたスタック(stack、積層体）１６の姿勢を維持するように選択される。この具体例においては、ブライドル２４の複数の側辺が互いに等しい長さを有する。これに代えて、複数本のブライドル・ライン１５のうち、スタック１６の上半分における相対的な長さが、同じスタック１６の下半分における相対的な長さより長くなり、それにより、図１０において角度θで示すように、傾斜したスタック１６の姿勢を維持するように選択されてもよい。この具体例においては、ブライドル２４の複数の側辺が互いに異なる長さを有する。図１０に示すように、スタック１６が垂直線からオフセットする正または負の角度θは、垂直方向成分を有する力を生成するように選択されてもよい。このことにより、前記セグメンテッド・フォイル（segmented-foil、分割型フォイル）が、曳航船によって牽引される装備の横方向位置を曳航船に対して一側または他側にずらすように決めるダイバータ（diverter、方向変換器）として用いることも、曳航船によって牽引される装備を目標深度に位置させるディプレッサ(depressor、沈降器）としても用いることが可能となる。これに代えて、複数のブライドル・ライン１５の長さは、図８および図１１に示すように、曲線状を成すスタック１６の姿勢を維持するために選択されてもよい。このように、ブライドル・ライン長は、前記セグメンテッド・フォイル（segmented-foil、分割型フォイル）に目標スタック形状を与えるように選択される。
【手続補正６】
【補正対象書類名】明細書
【補正対象項目名】００３７
【補正方法】変更
【補正の内容】
【００３７】
好ましくは、図７ｂに示すように、複数のフォイル・セグメント１１の両側の側面が、後向きに進むにつれて先細りとなり、それにより、そのスパン（span、各フォイル・セグメント１１の横幅寸法）が前縁１３から後縁１９に向かって減少し、それにより、各フォイル・セグメント１１に、台形状の形状と、複数のフォイル・セグメント１１間におけるくさび形のギャップ(gap、隙間）、すなわち、末拡がり角φとを提供する。好ましくは、複数のフォイル・セグメント１１であって前記台形状の形状を有するものが、複数本のブライドル・ライン１５であって、図１１に示すように、曲線状プロファイルを維持するように構成されたものと組み合わせて使用される。この構成においては、図７ｂに示すように、スタック１６の複数の後側内部導管１８内を貫通する別のフォイル・ライン１７の長さを選択的に(selectively、必要に応じて、状況に応じて）短縮し、それにより、複数のフォイル・セグメント１１の複数の後端(rear edges、後縁）を互いに引き寄せて密着させ、それにより、末拡がり角φを閉塞する(close、狭める）ようにしてもよい。図８に示すように、複数のフォイル・セグメント１１の複数の後端(rear edges、後縁）が互いに引き寄せられて密着させられるにつれて、各フォイル・セグメント１１が、フォイル・ライン１４を中心にして回転し(rotate、各フォイル・セグメント１１が、フォイル・ライン１４のうち各フォイル・セグメント１１内に存在する部分を中心として面内回転し）、その回転により、各フォイル・セグメント１１が水の中を通過するように牽引される際の各フォイル・セグメント１１の迎え角(angle of attack、翼弦線が水の流れFLOWと成す角）を変化させる。このことが起こる理由は、複数のフォイル・セグメント１１の複数の前縁１３の合計長さが複数の後縁１９の合計長さより長いということである。
【手続補正７】
【補正対象書類名】明細書
【補正対象項目名】００４３
【補正方法】変更
【補正の内容】
【００４３】
後述の特許請求の範囲は、この書類に記載されている好ましいいくつかの実施態様により限定されるべきではなく、この明細書と全体的に合致するように最も広く解釈すべきである。
本発明によれば、次のいくつかの態様が得られる。
（態様１）
漁撈用トロール網であって、
ヘッド・ライン（head line、浮子綱、上綱、上辺）とフット・ライン（foot line、沈子綱、下綱、底辺）と複数のサイド・ライン（side lines、右側のサイド・ラインと左側のサイド・ライン、左右両側の袖綱、左右の側辺）とにより画定される網口(mouth opening、口状開口部）を有する網体と、
長さ方向に配列可能な複数のフォイル・セグメント（foil segments、翼型セグメント）であって、各フォイル・セグメントは、翼型断面（foil cross-section、フォイル断面）と前縁と後縁とスパンと内部導管とを有し、前記前縁および前記後縁は、翼弦線を定義し、前記内部導管は、各フォイル・セグメントの前記前縁より後方に位置する前記スパンに沿って延びるものと
を含み、
前記ヘッド・ライン、前記フット・ラインまたは前記複数のサイド・ラインのいずれかは、前記複数のフォイル・セグメントの複数本の内部導管内を貫通する漁撈用トロール網。
（態様２）
前記翼型断面は、非対称である態様１に記載の漁撈用トロール網。
（態様３）
前記内部導管は、前記翼弦線上に配置される態様１に記載の漁撈用トロール網。
（態様４）
前記内部導管は、前記翼弦線から片側にずれて位置する態様１に記載の漁撈用トロール網。
（態様５）
さらに、別のヘッド・ラインと別のフット・ラインと複数本の別のサイド・ラインとを含み、各フォイル・セグメントは、さらに、別の内部導管を含み、その別の内部導管は、各フォイル・セグメントの前記後縁より前方に位置する前記スパンに沿って延びており、前記別のヘッド・ライン、前記別のフット・ラインまたは前記複数本の別のサイド・ラインのいずれかは、前記複数のフォイル・セグメントの複数本の別の内部導管内を貫通する態様１に記載の漁撈用トロール網。
（態様６）
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する態様５に記載の漁撈用トロール網。
（態様７）
前記別のヘッド・ライン、前記別のフット・ラインまたは前記複数本の別のサイド・ラインのいずれかであって、前記複数のフォイル・セグメントの複数本の別の内部導管内を貫通するものの長さを変化させる調整機構を含む態様６に記載の漁撈用トロール網。
（態様８）
漁撈用トロール網であって、
ヘッド・ラインとフット・ラインと複数のサイド・ラインとにより画定される網口を有する網体と、
長さと両端部とを有するフォイル・ライン(foil line、フォイル用綱）と、
長さ方向に配列可能な複数のフォイル・セグメントであって、各フォイル・セグメントは、翼型断面と前縁と後縁とスパンと内部導管とを有し、その内部導管は、各フォイル・セグメントの前記前縁より後方に位置する前記スパンに沿って延びるものと
を含み、
前記フォイル・ラインは、前記複数のフォイル・セグメントの複数本の内部導管内を貫通し、そのフォイル・ラインの両端部は、それぞれ、前記ヘッド・ライン、前記フット・ラインまたは前記複数のサイド・ラインのいずれかに、互いに離散した複数の位置において装着される漁撈用トロール網。
（態様９）
さらに、長さと両端部とを有する別のフォイル・ラインを含み、
前記複数のフォイル・セグメントは、さらに、別の内部導管を含み、その別の内部導管は、各フォイル・セグメントの前記後縁より前方に位置する前記スパンに沿って延びており、
前記別のフォイル・ラインは、前記複数のフォイル・セグメントの複数本の別の内部導管内を貫通し、そのフォイル・ラインの両端部は、それぞれ、前記ヘッド・ライン、前記フット・ラインまたは前記複数のサイド・ラインのいずれかに、互いに離散した複数の位置において装着される態様８に記載の漁撈用トロール網。
（態様１０）
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する態様９に記載の漁撈用トロール網。
（態様１１）
前記複数のフォイル・セグメントの複数本の別の内部導管内を貫通する前記別のフォイル・ラインの長さを変化させる調整機構を含む態様１０に記載の漁撈用トロール網。
（態様１２）
漁撈用トロール網であって、
ヘッド・ラインとフット・ラインと複数のサイド・ラインとにより画定される網口を有する網体と、
長さと両端部とを有するフォイル・ラインと、
長さ方向に配列可能な複数のフォイル・セグメントであって、各フォイル・セグメントは、翼型断面と前縁と後縁とスパンと内部導管とを有し、その内部導管は、各フォイル・セグメントの前記前縁より後方に位置する前記スパンに沿って延びるものと
を含み、
前記フォイル・ラインは、前記複数のフォイル・セグメントの複数本の内部導管内を貫通し、そのフォイル・ラインは、前記ヘッド・ライン、前記フット・ラインまたは前記複数のサイド・ラインのいずれかに、互いに離散した複数の位置において、複数本のブライドル・ライン（bridle lines、係留索、添え綱）を介して装着される漁撈用トロール網。
（態様１３）
さらに、長さと両端部とを有する別のフォイル・ラインを含み、
前記複数のフォイル・セグメントは、さらに、別の内部導管を含み、その別の内部導管は、各フォイル・セグメントの前記後縁より前方に位置する前記スパンに沿って延びており、
前記別のフォイル・ラインは、前記複数のフォイル・セグメントの複数本の別の内部導管内を貫通する態様１２に記載の漁撈用トロール網。
（態様１４）
前記別のフォイル・ラインの各端部は、前記複数のフォイル・セグメントの複数本の別の内部導管から離脱しないように固定される(secured、保持される）態様１３に記載の漁撈用トロール網。
（態様１５）
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する態様１４に記載の漁撈用トロール網。
（態様１６）
前記別のヘッド・ライン、前記別のフット・ラインまたは前記複数本の別のサイド・ラインのいずれかであって、前記複数のフォイル・セグメントの複数本の別の内部導管内を貫通するものの長さを変化させる調整機構を含む態様１５に記載の漁撈用トロール網。
（態様１７）
漁撈用トロール網であって、
ヘッド・ラインとフット・ラインと複数のサイド・ラインとより画定される網口と、複数のトロール・ドア(trawl doors、複数のオッターボード、右側のトロール・ドアと左側のトロール・ドア）とを含む網体であって、前記複数のトロール・ドアは、各サイド・ラインから離れているとともに、各サイド・ラインに、複数本のブライドル・レッグ(bridle legs、係留索、添え綱）を介して装着されるものと、
前記複数本のブライドル・レッグに装着されるとともに、前記複数のサイド・ラインと前記複数のトロール・ドアとの間に配置されるタグ・ラインと、
長さ方向に配列可能な複数のフォイル・セグメントであって、各フォイル・セグメントは、翼型断面（foil cross-section、フォイル断面）と前縁と後縁とスパンと内部導管とを有し、その内部導管は、各フォイル・セグメントの前記前縁より後方に位置する前記スパンに沿って延びるものと
を含み、
前記タグ・ラインは、前記複数のフォイル・セグメントの複数本の内部導管内を貫通する漁撈用トロール網。 
（態様１８）
さらに、前記複数のブライドル・レッグに装着されるとともに、前記複数のサイド・ラインと前記複数のトロール・ドアとの間に配置される別のタグ・ラインを含み、
前記複数のフォイル・セグメントは、さらに、別の内部導管であって、各フォイル・セグメントの前記前縁より後方に位置する前記スパンに沿って延びるものを含み、
前記別のタグ・ラインは、前記複数のフォイル・セグメントの複数本の別の内部導管内を貫通する態様１７に記載の漁撈用トロール網。
（態様１９）
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する態様１８に記載の漁撈用トロール網。
（態様２０）
前記複数のフォイル・セグメントの前記複数本の別の内部導管内を貫通する前記別のタッグ・ラインの長さを変化させる調整機構を含む態様１９に記載の漁撈用トロール網。
（態様２１）
漁撈用トロール網であって、
ヘッド・ラインとフット・ラインと複数のサイド・ラインとにより画定される網口を有する網体と、
長さと両端部とを有するとともに、前記複数のサイド・ラインのいずれかに複数本のブライドル・ラインを介して装着されるフォイル・ラインと、
長さ方向に配列可能な複数のフォイル・セグメントであって、各フォイル・セグメントは、翼型断面と前縁と後縁とスパンと内部導管とを有し、その内部導管は、各フォイル・セグメントの前記前縁より後方に位置する前記スパンに沿って延びるものと、
前記フォイル・ラインに装着される三角形状のブライドル(bridle、係留具）であって、頂点と複数の側辺と底辺とを有し、前記頂点は、前記ブライドルとワープ・ラインとの間の連結点により定義され、前記複数の側辺は、前記連結点と前記フォイル・ラインの一端部との間に装着される第１ブライドル・ラインと、前記連結点と前記フォイル・ラインの他端部との間に装着される第２ブライドル・ラインとにより定義され、前記底辺は、前記フォイル・ラインにより定義されるものと、
前記連結点と前記フォイル・ラインとの間に装着される１本または複数本の中間ブライドル・ラインと
を含み、
前記フォイル・ラインは、前記複数のフォイル・セグメントの複数本の内部導管内を貫通する漁撈用トロール網。
（態様２２）
前記複数のフォイル・セグメントは、長さ方向に配列され、前記ブライドルの前記複数の側辺は、互いに等しい長さを有し、前記１本または複数本の中間ブライドル・ラインの長さは、前記複数の側辺の長さに応じた長さである態様２１に記載の漁撈用トロール網。
（態様２３）
前記複数のフォイル・セグメントは、長さ方向に配列され、前記ブライドルの前記複数の側辺は、互いに異なる長さを有し、前記１本または複数本の中間ブライドル・ラインの長さは、前記複数の側辺の長さに応じた長さである態様２１に記載の漁撈用トロール網。
（態様２４）
前記複数のフォイル・セグメントは、曲線状を成しており、前記ブライドルの前記複数の側辺は、互いに等しい長さを有し、前記１本または複数本の中間ブライドル・ラインの長さは、前記複数の側辺の長さに応じた長さである態様２１に記載の漁撈用トロール網。
（態様２５）
さらに、長さと両端部とを有する別のフォイル・ラインを含み、
各フォイル・セグメントは、さらに、別の内部導管を含み、その別の内部導管は、各フォイル・セグメントの前記後縁より前方に位置する前記スパンに沿って延びており、
前記別のフォイル・ラインは、前記複数のフォイル・セグメントの複数本の別の内部導管内を貫通する態様２４に記載の漁撈用トロール網。
（態様２６）
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する態様２５に記載の漁撈用トロール網。
（態様２７）
前記複数のフォイル・セグメントの前記複数本の別の内部導管内を貫通する前記別のフォイル・ラインの長さを変化させる調整機構を含む態様２６に記載の漁撈用トロール網。
【手続補正８】
【補正対象書類名】図面
【補正対象項目名】図８
【補正方法】変更
【補正の内容】
【図８】
2018524968.tif 000001